(57)【要約】【課題】扉を壁面に沿った設置しやすい収納スペースに収納することができ、しかも、扉とシャッターとが強固に係合し、耐用性や適用性の高いシャッター装置を提供する。【解決手段】このシャッター装置は、シャッター５と、一端をシャッター５に隣接させるように横移動する扉６と、扉６の前記一端に回動自在に取り付けられ可動ハンガーレール２６によってシャッター５の面と平行な第１の方向に横移動可能な可動方立レール３０と、扉６の他端に回動自在に取り付けられ、収納部ハンガーレール２４によって第１の方向とは異なる第２の方向に横移動可能な支持具３１と、可動方立レール３０の前記一端側の縁部に設けられた係合溝３３とを有している。【選択図】      図５
2004332355.tif 000002
【特許請求の範囲】
【請求項１】
昇降することによって建築物の開口領域の一部を開閉するシャッターと、
一端を前記シャッターに隣接させるように横移動し、前記開口領域の残部を閉鎖する扉と、
前記扉の前記一端に回動自在に取り付けられ、第１のガイド部材によって前記シャッターの面と平行な第１の方向に横移動可能な第１の支持部材と、
前記扉の他端に回動自在に取り付けられ、第２のガイド部材によって前記第１の方向とは異なる第２の方向に横移動可能な第２の支持部材と、
前記第１の支持部材の前記一端側に設けられた係合溝とを有することを特徴とするシャッター装置。
【請求項２】
昇降することによって建築物の開口領域の一部を開閉するシャッターと、
前記シャッターの下降に連動して一端を前記シャッターに隣接させるように横移動し、前記開口領域の残部を閉鎖する扉と、
前記扉の前記一端に回動自在に取り付けられ、第１のガイド部材によって前記シャッターの面と平行な第１の方向に横移動可能な第１の支持部材と、
前記扉の他端に回動自在に取り付けられ、第２のガイド部材によって前記第１の方向とは異なる第２の方向に横移動可能な第２の支持部材と、
前記シャッターの下降動作と前記扉の閉鎖動作とを連動して行わせる駆動機構と、
前記第１の支持部材の前記一端側に設けられた係合溝とを有することを特徴とするシャッター装置。
【請求項３】
前記シャッターの下降とリンクし、前記扉の閉鎖動作の初期に、前記第１の支持部材を収納位置から前記第１の方向に移動させる初動リンク機構が設けられていることを特徴とする請求項２に記載のシャッター装置。
【請求項４】
前記シャッターの両面に突出し、前記シャッターが昇降する際の振れを規制する振れ規制部材が設けられていることを特徴とする請求項１乃至請求項３のいずれかに記載のシャッター装置。
【請求項５】
前記第１の支持部材は、前記係合溝の中心面から外れた位置において前記扉に回動自在に取り付けられていることを特徴とする請求項１乃至請求項４のいずれかに記載のシャッター装置。
【請求項６】
前記係合溝は、前記第１の支持部材に傾倒可能に設けられた可倒レールに設けられていることを特徴とする請求項１乃至請求項５のいずれかに記載のシャッター装置。
【発明の詳細な説明】
【０００１】
【発明の属する技術分野】
本発明は、ビルディングや倉庫等の建築物の開口領域を開閉するシャッター装置に関し、特に、火災の際の延焼防止用として好適なシャッター装置に関する。
【０００２】
【従来の技術】
一般に、ビルディング等の建築物には、火災等の際に通路や所定の領域を遮断するために、自動降下するシャッター装置が設けられている。このようなシャッター装置においては、昇降移動するシャッターカーテンと、防火扉とが隣接して設けられ、シャッターが降りた後はこの防火扉から人が脱出することが可能になっている。従来は、シャッターと防火扉の境界部分に中柱が設けられており、これが、シャッター下降用のガイドレールと、防火扉のフレームの役割を果たしている。しかしながら、このような中柱は、シャッター装置が動作していない日常的な状態ではスペースに孤立して立っており、このスペースの活用を阻害している。
【０００３】
そこで、防火扉の端面にガイドレールを形成し、非常時には、まず防火扉を閉じ、その後に防火扉の端面のガイドレールに案内されてシャッターが降りるようなシャッター装置が使用されている。しかしながら、このように防火扉が閉鎖されてからシャッターが降りるという段階的な動作の装置では、防火扉が荷物等の障害物によって閉じない場合には、シャッターも降りることができず、防火の機能が果たされない危険な状況になってしまう。
【０００４】
このような問題を回避するために、シャッターと防火扉が段階的に閉じるのではなく、並行して閉じるようにした技術が提案されている（例えば、特許文献１および特許文献２参照）。特許文献１においては、シャッターのガイド柱を兼ね、かつ、防火扉を回動可能に支持する枠体を、シャッター面と同じ鉛直面内において水平方向にスライドさせて閉じるようにしている。また、特許文献２においては、回転式防火扉の先端側に係合機構を有しており、この係合機構が、防火扉の閉鎖状態において、下降中のシャッターの防火扉側の端部に係合し、かつ、下降するシャッターの端部を案内するようになっている。これらの装置では、防火扉が水平移動して、一部または全部閉じた状態のシャッターの縁部に係合することができるので、シャッターを防火扉の状況と関わりなく降ろすことができる。
【０００５】
【特許文献１】
特開平１１−２１０３５５号公報
【特許文献２】
特開２００２−１９４９７１号公報
【０００６】
【発明が解決しようとする課題】
しかしながら、特許文献１の装置では、防火扉を回動可能に支持する枠体がシャッター面と同じ鉛直面内においてスライドする構造であるため、枠体を壁に沿って収納することができない。つまり、枠体を収納するためのスペースを、壁の中に設けなければならず、そのための工費の増大や設置場所が制約される等の問題がある。一方、特許文献２の装置においては、回転式防火扉の先端の係合機構が、防火扉の回転閉止動作に伴ってシャッターの縁部に係合するようになっている。したがって、係合機構が複雑な構成となっており、装置コストの上昇や、経時劣化による誤動作の可能性等の問題がある。また、シャッターと防火扉の係合が必ずしも強固なものではないので、特に通常の開閉用のシャッター装置として用いる場合は風圧等を考慮しなければならず、適用される状況が限定されることになる。
【０００７】
本発明は、上記事情に鑑みて為されたもので、扉を壁面に沿った設置しやすい収納スペースに収納することができ、しかも、扉とシャッターとが強固に係合し、耐用性や適用性の高いシャッター装置を提供することを目的とする。
【０００８】
【課題を解決するための手段】
上記目的を達成するために、請求項１に記載のシャッター装置は、昇降することによって建築物の開口領域の一部を開閉するシャッターと、一端を前記シャッターに隣接させるように横移動し、前記開口領域の残部を閉鎖する扉と、
前記扉の前記一端に回動自在に取り付けられ、第１のガイド部材によって前記シャッターの面と平行な第１の方向に横移動可能な第１の支持部材と、前記扉の他端に回動自在に取り付けられ、第２のガイド部材によって前記第１の方向とは異なる第２の方向に横移動可能な第２の支持部材と、前記第１の支持部材の前記一端側に設けられた係合溝とを有することを特徴とする。
【０００９】
請求項１に記載の発明においては、扉は、先端側はシャッターの面と平行な第１の方向に、後端側は、これとは異なる方向に横移動しながら、シャッターの隣接位置に移動する。つまり、扉はその姿勢（向き）を変えながら移動するので、扉をシャッターの面に沿った状態で収納しておく必要がなく、収納スペースを、例えば第２の方向に沿って壁際の適宜の場所に設置できる。また、扉はその両端で支持された状態で移動するので、片持ちされた回転防火扉の場合のように障害物による大きなモーメントが作用することがなく、また、移動の際に掃く床の面積も小さい。したがって、障害物に邪魔されて移動できないという状態が起きにくい。第１の支持部材はシャッターの面と平行に移動するので、その一端側の縁部に設けられた係合溝はシャッターの縁部と容易に係合し、強固な結合状態を形成する。
【００１０】
請求項２に記載のシャッター装置は、昇降することによって建築物の開口領域の一部を開閉するシャッターと、前記シャッターの下降に連動して一端を前記シャッターに隣接させるように横移動し、前記開口領域の残部を閉鎖する扉と、前記扉の前記一端に回動自在に取り付けられ、第１のガイド部材によって前記シャッターの面と平行な第１の方向に横移動可能な第１の支持部材と、前記扉の他端に回動自在に取り付けられ、第２のガイド部材によって前記第１の方向とは異なる第２の方向に横移動可能な第２の支持部材と、前記シャッターの下降動作と前記扉の閉鎖動作とを連動して行わせる駆動機構と、前記第１の支持部材の前記一端側の縁部に設けられた係合溝とを有することを特徴とする。
【００１１】
請求項２に記載の発明においては、扉は、シャッターの下降に連動して、先端側はシャッターの面と平行な第１の方向に、後端側は、これとは異なる方向に横移動しながら、シャッターの隣接位置に移動する。つまり、扉はその姿勢（向き）を変えながら移動するので、扉をシャッターの面に沿った状態で収納しておく必要がなく、収納スペースを、例えば第２の方向に沿って壁際の適宜の場所に設置できる。また、扉はその両端で支持された状態で移動するので、片持ちされた回転防火扉の場合のように障害物による大きなモーメントが作用することがなく、また、移動の際に掃く床の面積も小さい。したがって、障害物に邪魔されて移動できないという状態が起きにくい。第１の支持部材はシャッターの面と平行に移動するので、その一端側の縁部に設けられた係合溝はシャッターの縁部と容易に係合し、強固な結合状態を形成する。
【００１２】
請求項３に記載のシャッター装置は、請求項２に記載の発明において、前記シャッターの下降とリンクし、前記扉の閉鎖動作の初期に、前記第１の支持部材を収納位置から前記第１の方向に移動させる初動リンク機構が設けられていることを特徴とする。
扉の閉鎖動作を行なう機構が、第２の支持部材に作用するものである場合、扉の収納位置によっては、初動が困難な場合がある。請求項３に記載の発明においては、シャッターの下降とリンクする初動リンク機構によって第１の支持部材に力を作用することによって、扉の初動を円滑に行わせる。
【００１３】
請求項４に記載のシャッター装置は、請求項１乃至請求項３のいずれかに記載の発明において、前記シャッターの両面に突出し、前記シャッターが昇降する際の振れを規制する振れ規制部材が設けられていることを特徴とする。
装置の初動時には、シャッターは、開口領域の中央側の端面がガイドされていない状態で下降するが、請求項４に記載の発明においては、このような振れ規制部材によって所定幅以上の振れが防止され、垂直な姿勢を維持する。
【００１４】
請求項５に記載のシャッター装置は、請求項１乃至請求項４のいずれかに記載の発明において、前記第１の支持部材は、前記係合溝の中心面から外れた位置において前記扉に回動自在に取り付けられていることを特徴とする。
扉の収納部においては、第１の支持部材の係合溝の中心面の向きと、扉の向きとは異なっている。したがって、枢設部を係合溝の中心面上に設けると、第１の支持部材と扉とは枢設部で折れ曲がった状態となり、第１の支持部材の先端側が扉より突出するので、収納部の深さが大きくなってしまう。請求項５に記載の発明においては、枢設部を係合溝の中心面からオフセットさせることにより、第１の支持部材と扉が収納部において直線上に近い状態で配置され、したがって、収納部の深さを小さくすることができる。
【００１５】
請求項６に記載のシャッター装置は、請求項１乃至請求項５のいずれかに記載の発明において、前記係合溝は、前記第１の支持部材に傾倒可能に設けられた可倒レールに設けられていることを特徴とする。
請求項６に記載の発明においては、係合溝が傾倒することによって、シャッターの縁部との係合が、振れの少ない上部側から順に行われるので、シャッターのスラットが外れにくく、係合が円滑に行われる。
【００１６】
【発明の実施の形態】
以下、添付した図面を参照しながら、本発明の実施の形態を説明する。
図１ないし図４は、本発明の実施の形態に係るシャッター装置Ｓが、建築物の内部の床１、両側の壁２ａ、２ｂおよび天板３によって構成された開口領域４に設置された状態を示すもので、図１は非動作時、図２は、シャッターカーテン５（以下、シャッター）が下降を始め、扉６が移動途中の状態、図３は、扉６が移動を終え、シャッター５が下降途中の状態、図４は、閉鎖された扉６の回転扉７を開いた状態をそれぞれ示している。
【００１７】
図５および図６は、シャッター装置Ｓをより詳細に示す図であり、以下、これを参照して説明する。シャッター装置Ｓは、開口領域４の広い範囲を閉じるシャッター５と、これに隣接し、開口領域４の残余の部を閉じる扉（防火扉）６と、これらを連動して開閉させる駆動機構１０とを備えている。シャッター５は、複数個の細長いスラット１１が上下方向に連設されて構成され、上方の一対のブラケット１２，１３に支持された巻取軸１４に上端が固定されている。巻取軸１４は、伝達機構（ギアおよびチェーン）１５を介して駆動モータ１６と連結しており、駆動モータ１６の回転によって巻取軸１４にシャッター５が巻き取られ、あるいは繰り出されて、シャッター５が昇降移動するようになっている。シャッター５の一方の縁部は、壁２ａに付設されたガイドレール１７の案内溝によってガイドされる。巻取軸１４には、トルクリミッタ（クラッチ）１８を介して動力伝達軸１９が接続されており、これは後述するドアクローザ２０に連結されている。
【００１８】
扉６の開口部２１には、回転扉（子扉）７がヒンジ結合されている。扉６は上方に設けられたスライド開閉機構２２によって開閉される。扉６の開口部２１は下方に開いて形成されており、敷居が無いので、開けた回転扉７を通る時の障害物が無く（バリアフリー）、緊急時でも安全に通過できるようになっている。なお、扉としては、本例の扉６のように扉枠に回転扉（避難扉）７を設けたものに限定されることはなく、例えば、避難扉を設けていない扉等も含む。扉６は、非動作時には、壁面に沿って形成された収納部（戸袋）２３に収納されている。スライド開閉機構２２は、収納部２３の上部に壁２ｂに沿って水平に延びる収納部ハンガーレール（第２のガイド部材）２４と、壁２ｂに直交する方向、すなわち、シャッター５面に沿って水平に延びる固定ハンガーレール２５と、固定ハンガーレール２５によって移動可能に支持された可動ハンガーレール（第１のガイド部材）２６とを有している。
【００１９】
扉６には、先端側（閉鎖時のシャッター５側）の端面に第１の支持部材である可動方立レール３０が、基端側（閉鎖時の壁側）の頂部に第２の支持部材である支持具３１が、例えば、ピン結合による枢設部によってそれぞれ回動自在に取り付けられている。可動方立レール３０には、これが閉鎖位置に移動したときにシャッター５の縁部に係合し、また、昇降の際にこれをガイドする係合溝３３が形成されている。これらの支持具３１および可動方立レール３０には、それぞれ収納部ハンガーレール２４と可動ハンガーレール２６に係合して扉６を吊持するとともに、これらのハンガーレール上を転動して走行する吊持・走行ローラが設けられている。
【００２０】
第１の支持部材である可動方立レール３０が扉６に回動自在に取り付けられている位置は、図７に示すように、係合溝３３の中心面Ｃから収納部２３側に外れている。すなわち、可動方立レール３０の側面に扉６が取り付けられている。これにより、同図（ａ）に示すように収納部２３に収納された時に、可動方立レール３０の枢設部が係合溝３３の裏面側に突出することがなく、したがって、収納部２３の深さを小さくすることができる。可動方立レール３０への吊持・走行ローラの取付位置も係合溝３３の中心面Ｃから収納部２３側に外れており、同様な作用効果を有する。
【００２１】
収納部ハンガーレール２４の上部には、図５にカバーを外して示すように、３つの従動歯車３５ａ，３５ｂ，３５ｃと、これに巻き掛けられたチェーン３６とからなるドアクローザ２０が設けられ、このチェーン３６は、第２の支持部材である支持具３１に固着され、また、上述した動力伝達軸１９に取り付けられた駆動歯車３７に係合している。そして、駆動モータ１６がシャッター５を下降させるように回転すると、その動力は、動力伝達軸１９、駆動歯車を介してチェーン３６に伝達され、支持具３１を収納部ハンガーレール２４に沿って移動させる。その結果、扉６の基端側を先端側に向けて押して、これを図３等に示すような閉鎖位置に移動させる。
【００２２】
収納部ハンガーレール２４と固定ハンガーレール２５は直交しており、収納部２３に収納された状態の扉６をドアクローザ２０によって基端側から押しても、これを固定ハンガーレール２５に沿った方向に移動させる分力が無いので動かない。そこで、固定ハンガーレール２５には、シャッター５が所定距離下降したときに可動ハンガーレール２６を短い距離移動させ、それによって扉６の先端側部分を収納部２３から引き出す初動リンク機構４０が設けられている。すなわち、固定ハンガーレール２５には、図８（ａ）に示すように、断面Ｕ字状のケーシング４１が設けられ、これには、一対のスラット安定アーム（規制部材）４２がアーム支持軸４２ａを介して回動自在に軸支されている。一対のスラット安定アーム４２は、シャッター５の厚さよりやや広い隙間をもっており、巻取軸１４から下降するシャッター５を両側から挟むように延びている。したがって、シャッター５の昇降時における前後への「振れ」を規制するように作用する。
【００２３】
スラット安定アーム４２には、図８（ｃ）に示すように、起動リンク４３が一体に取り付けられている。図９に示すように、この起動リンク４３の先端には連結リンク４４が回動自在に取り付けられ、連結リンク４４の先端は、「く」字形作用リンク４５を構成する上部作用リンク４５ａおよび下部作用リンク４５ｂの連結軸４６に回動自在に取り付けられている。上部作用リンク４５ａの他端はケーシング４１の上部に回動自在に取り付けられ、また、下部作用リンク４５ｂの他端側には長穴４７が形成され、これには可動ハンガーレール２６の所定位置に設けられた作用ピン４８が挿入されている。可動ハンガーレール２６が収納側（壁２ｂ側）の位置にある時には、作用ピン４８は長穴４７の収納側の端部に接触している。シャッター５は、その下端に近い所定の位置に、押し下げローラ５０と押し上げローラ５１とを有している。押し下げローラ５０は、シャッター５の下降に伴ってスラット安定アーム４２に係合し、これを回動させて前記初動リンク機構４０を作動させ、可動ハンガーレール２６をシャッター５側に移動させる。一方、押し上げローラ５１は、シャッター５の上昇に伴ってスラット安定アーム４２に係合し、これを回動させて前記初動リンク機構４０を逆向きに作動させる。押し上げローラ５１は、押し下げローラ５０によって押し下げられたスラット安定アーム４２に係合するので、押し下げローラ５０より縁部側に設けられている。
【００２４】
以下、上記のように構成されたシャッター装置Ｓの動作を、図面を参照して説明する。
日常的な状態、つまり図１に示すシャッター５装置Ｓの非動作状態では、シャッター５は巻き上げられ、扉６は、図７（ａ）のように、シャッター５面に平行な第１の方向に直交する第２の方向に沿って収納部２３に収納されている。例えば、火災検知器等からの信号によって装置の起動スイッチがオンになると、駆動モータ１６が起動し、伝達機構１５を介して巻取軸１４がシャッター５を繰り出す方向に回転する。これにより、シャッター５は、壁２ａに付設されたガイドレール１７に片側をガイドされ、一対のスラット安定アーム４２によって前後の振れを規制されながら下降を始める。伝達機構１５からの回転トルクは、トルクリミッタ１８を介して動力伝達軸１９にも伝達され、ドアクローザ２０のチェーン３６を介して第２の支持部材である支持具３１を介して扉６を第２の方向に押す。しかし、図７（ａ）の状態では、先端の第１の支持部材（可動方立レール３０）に第２の方向の分力が作用していないので、扉６は移動できない。したがって、トルクリミッタ１８が作動して動力伝達軸１９へのトルク伝達が遮断される。
【００２５】
シャッター５が所定距離下降して、その下端近傍の一面に設けられた押し下げローラ５０がスラット安定アーム４２の上面に当接し、これを押し下げると、図９に示すように、初動リンク機構４０が作動する。すなわち、同図（ａ）の状態から、スラット安定アーム４２がアーム支持軸４２ａ回りに下に回動し、これと一体の起動リンク４３が同じ向きに回転し、その先端にピン結合された連結リンク４４が図において左に移動する（同図（ｂ））。これにより、連結リンク４４の先端にピン結合された「く」字形作用リンク４５の結合点が左に引っ張られ、下部作用リンク４５ｂが左に押され、これはさらに長穴４７に係合した作用ピン４８を介して可動ハンガーレール２６を左に例えば１０ｍｍ程度スライドさせる（同図（ｃ））。これによって、可動ハンガーレール２６に係合する可動方立レール３０のローラ（図示略）が可動ハンガーレール２６の他端側のストッパ（図示略）によって押されて第１の方向に沿って移動し、可動方立レール３０が収納部２３から引き出される（図７（ｂ））。
【００２６】
これによって、扉６を移動させるためのトルクが低下し、トルクリミッタ１８を介して動力伝達軸１９にトルクが伝達され、ドアクローザ２０が動作して、支持具３１を前方に押す。これにより、支持具３１の走行ローラが収納部ハンガーレール２４に沿って転動し、扉６が前方に押し出され、扉６の先端の可動方立レール３０も可動ハンガーレール２６に沿って走行する。扉６は、可動方立レール３０および支持具３１との枢設部の回りに回動して、第１の方向から第２の方向へと姿勢（向き）を変化させながらスライドする（図２、図７（ｃ）〜（ｄ））。このとき、扉６が掃く床面積は、片持ちされた回転扉に比較して小さく、また、扉６は進行方向に対して傾斜しており、障害物を排除しながら進行するので、障害物によって閉鎖を阻害される可能性が小さくなっている。
【００２７】
さらに、扉６が移動して、可動方立レール３０がシャッター５の縁部に到達する（図７（ｅ））。通常は、シャッター５の下降速度の方が遅いので、シャッター５は図３に示すように降りきっていない。可動方立レール３０は同じ姿勢で進行し、その端面に形成された係合溝３３がシャッター５の縁部に係合する。このとき、スラット安定アーム４２がシャッター５の前後方向の振れを規制してシャッター５を正規の位置に維持しているので、係合が円滑に行われる。この状態になると、トルクリミッタ１８が作動して動力伝達軸１９へのトルク伝達が遮断され、扉６のさらなる前進を防ぐ。以後、シャッター５は、ガイドレール１７および係合溝３３にガイドされて、下端が接地するまで下降する。扉６にヒンジ結合された回転扉７を開くことによって、避難や消火活動を行なうことができる（図４）。この実施の形態では、扉６の開口部２１が下方に開口して形成されているので、回転扉７を開いた時に走行の邪魔になる敷居部が無く、緊急時の通過を円滑に行なうことができる。
【００２８】
次に、作動したシャッター装置Ｓを復帰させる手順を説明する。
ここでは、駆動モータ１６を起動して巻取軸１４を逆回転させ、シャッター５を巻き取るが、同時に扉６をドアクローザ２０を介して閉鎖させる連動方式と、扉６を別個に閉鎖する独立方式とがある。連動方式の場合は、駆動モータ１６が巻取軸１４とドアクローザ２０を同時に駆動し、シャッター５が巻き上げられ、扉６は支持具３１に牽引されて開放位置に移動する。シャッター５が上昇すると、その下端近傍に設けられた押し上げローラ５１がスラット安定アーム４２に係合し、これを押し上げて復帰させる。その際、初動リンク機構４０が逆に作動するが、可動ハンガーレール２６が下部作用リンク４５ｂに長穴４７を介して係合しているので、可動ハンガーレール２６は移動しない。これによってシャッター５に上下方向の引張負荷が掛からないようにしている。一方、独立方式では、例えば、トルクリミッタ１８を遮断した状態でシャッター５のみを上昇させた後、扉６を人力によって開放すればよい。
【００２９】
図１０ないし図１３、および図１４ないし図１６に示すのは、本発明の他の実施の形態であり、可動方立レール６０が、係合溝６１を有する可倒レール６２を有し、この可倒レール６２は、可動方立レール６０の下部にピン結合されて、可動方立レール６０の取付溝６３に収容されている。図１０に示す扉６が収納部２３に収納された状態では、図１４に示すように、可倒レール６２に設けられたレリーズ受け６４が可動方立レール６０に設けられたレリーズ６５に係合することによって取付溝６３内に収容されている。可動ハンガーレール２６がスライドして可動方立レール６０が前進すると、レリーズ６５がドア上枠６６に取り付けられたトリガー６７によって押し下げられ、レリーズ６５とレリーズ受け６４の係合が解除されて、自重によって可倒レール６２が傾倒して上側端が前方に突出する（図１１、図１５）。
【００３０】
この状態で可動方立レール６０が前進してシャッター５の縁部に到達すると、可倒レール６２の係合溝６１の上部がまずシャッター５の上部側のスラット１１の縁部を受け入れ（図１２）、以後、下側のスラット１１の縁部を順次受け入れる。ドア上枠６６の端部の所定位置には可倒レール当たり６８が設けられており、可倒レール６２のレリーズ受け６４がこれに当接すると、可倒レール６２が取付溝６３に押し込まれる。そして、可倒レール６２の係合溝６１の底部がシャッター５のスラット１１に接触する前に、可倒レール６２が取付溝６３の底部に当たり、可動方立レール６０の前進が止められる。可倒レール６２は、バネ６９で付勢されているレリーズ６５に係合して垂直位置で保持され（図１６）、可動方立レール６０を収納部２３に戻せば、図１４に示す初期の状態に戻る。このように、この実施の形態のシャッター５装置Ｓによれば、前後の振れが少ない上部のスラット１１から順に係合溝６１に受け入れるので、シャッター５縁部と係合溝６１の係合が円滑に行われる。また、スラット１１が可倒レール６２に接触しないので、シャッター５の縁部が損傷することがない。
【００３１】
なお、上述の実施の形態では、扉６の閉鎖動作を、シャッター５を駆動する巻取軸１４に連結された動力伝達軸１９により駆動させるようにしたが、これに代えて、シャッター５の駆動とは別個に扉６を駆動させる駆動機構を設けるようにしてもよい。
【００３２】
また、上述の実施の形態では、シャッター５が所定距離下降してから、扉６の閉鎖動作が開始するようにしているが、シャッター５の下降動作と扉６の閉鎖動作との連動のタイミングは適宜設定するようにすればよく、例えば、シャッター５下降動作が完了した後に、扉６の閉鎖動作が開始するようにしてもよく、あるいはシャッター５の下降動作開始と同時に扉６の閉鎖動作が開始するようにしてもよい。さらには、シャッター５の下降動作とは別個に扉６の閉鎖動作を行うようにしてもよい。
【００３３】
また、上記実施の形態では、収納部ハンガーレール（第２のガイド部材）２４および可動ハンガーレール（第１のガイド部材）２６を水平に設置して、扉６、可動方立レール（第１の支持部材）３０，６０および支持具（第２の支持部材）３１を水平移動させるようにしたが、これに代えて、収納部ハンガーレール（第２のガイド部材）２４および可動ハンガーレール（第１のガイド部材）２６を傾斜させて設置して、扉６、可動方立レール（第１の支持部材）３０，６０および支持具（第２の支持部材）３１を横移動させるようにし、これによりこれらの部材の横移動に勢いをつけるようにしてもよい。このように、扉６、可動方立レール（第１の支持部材）３０，６０および支持具（第２の支持部材）３１の横移動は、水平移動には限られない。
【００３４】
【発明の効果】
以上説明したように、本発明によれば、扉はその姿勢を変えながら移動するので、扉の収納スペースを壁際の適宜の場所に設置でき、第１の支持部材はシャッターの面と平行に移動するので、その一端側の縁部に設けられた係合溝はシャッターの縁部と容易に係合し、強固な結合状態を形成する。したがって、狭い場所でも設置でき、かつ耐用性や適用性の高いシャッター装置を提供することができる。
【図面の簡単な説明】
【図１】本発明の実施の形態に係るシャッター装置の全体を示す斜視図である。
【図２】図１のシャッター装置の作動中の状態を示す斜視図である。
【図３】同じく、図１のシャッター装置の作動中の状態を示す斜視図である。
【図４】同じく、図１のシャッター装置の作動中の状態を示す斜視図である。
【図５】図１のシャッター装置の構成を示す斜視図である。
【図６】同じく、図１のシャッター装置の構成を示す斜視図である。
【図７】図１のシャッター装置の扉の動作を順に示す平面図である。
【図８】図１のシャッター装置の初動リンク機構の構成を示す斜視図である。
【図９】同じく、図１のシャッター装置の初動リンク機構の動作を順に示す図である。
【図１０】本発明の第２の実施の形態のシャッター装置の初期状態を示す斜視図である。
【図１１】本発明の第２の実施の形態のシャッター装置の動作開始直後の状態を示す斜視図である。
【図１２】本発明の第２の実施の形態のシャッター装置の動作途中の状態を示す斜視図である。
【図１３】本発明の第２の実施の形態のシャッター装置の動作後の状態を示す斜視図である。
【図１４】本発明の第２の実施の形態のシャッター装置の要部の初期状態を示す図である。
【図１５】本発明の第２の実施の形態のシャッター装置の要部の動作開始直後の状態を示す図である。
【図１６】本発明の第２の実施の形態のシャッター装置の要部の動作後の状態を示す図である。
【符号の説明】
４  開口領域
５  シャッターカーテン
６  扉
１０  駆動機構
２４  収納部ハンガーレール（第２のガイド部材）
２６  可動ハンガーレール（第１のガイド部材）
３０，６０  可動方立レール（第１の支持部材）
３１  支持具（第２の支持部材）
３３  係合溝
４０  初動リンク機構
４２  スラット安定アーム（規制部材）
６２  可倒レール
Ｃ  中心面
Ｓ  シャッター装置
【図１】
2004332355.tif 000003
【図２】
2004332355.tif 000004
【図３】
2004332355.tif 000005
【図４】
2004332355.tif 000006
【図５】
2004332355.tif 000007
【図６】
2004332355.tif 000008
【図７】
2004332355.tif 000009
【図８】
2004332355.tif 000010
【図９】
2004332355.tif 000011
【図１０】
2004332355.tif 000012
【図１１】
2004332355.tif 000013
【図１２】
2004332355.tif 000014
【図１３】
2004332355.tif 000015
【図１４】
2004332355.tif 000016
【図１５】
2004332355.tif 000017
【図１６】
2004332355.tif 000018